(57)【要約】      （修正有）【課題】ローラの往復行きと回転で、身体に押圧力調整の効果の良い按摩器を提供する。【解決手段】按摩器は、１つの縛りつけられる本体と、１つの本体中の駆動部材と、複数の本体中に対称配列のローラーで構成される。駆動部材は、中央部から両側まで、弧形延設シャトル形ガイド・レールを設け、駆動部材がモーターの駆動で、一定方向の回転で稼動する。ローラーは、各々２つのバンド部材に定位され、バンド部材は端部のガイド・ロッドより、シャトル形ガイド・レール２１に嵌め置き、巻き付けバンドより本体を、違った身体の部位に縛りつける。駆動部材の回転より、バンド部材端部のガイド・ロッドが、シャトル形ガイド・レールの引導で、左右往復行き摺動に連動して、ローラーが左右往復行きと回転で、身体をもむ。【選択図】図２
0003155674.tif 000002
【実用新案登録請求の範囲】
【請求項１】
按摩器であって、その特徴は、１つの縛りつけられる本体と；１つの本体中の駆動部材と；複数の本体中に対称配列のローラーで、構成されて；前記駆動部材は、中央部から両側まで、弧形延設シャトル形ガイド・レールを設け、駆動部材がモーターの駆動で、一定方向の回転で稼動させ；前記ローラーは、各々２つのバンド部材に定位され、バンド部材は端部のガイド・ロッドより、シャトル形ガイド・レール２１に嵌め置き；巻き付けバンドより本体を、違った身体の部位に縛りつけ；前記駆動部材の回転より、バンド部材端部のガイド・ロッドが、シャトル形ガイド・レールの引導で、左右往復行き摺動されば連動して、ローラーが左右往復行きと回転で、身体にもみもみすることで、構成されることを特徴とする按摩器。
【請求項２】
前記駆動部材は、柱形のカムとなることを特徴とする請求項１に記載の按摩器。
【請求項３】
前記駆動部材の両端に各々ロッドを設け、前記ロッドが本体の固定柱に定位され、前記一端のロッドにギアを有し、ギアはモーターに設けたウォーム駆動と噛み合うことを特徴とする請求項１に記載の按摩器。
【請求項４】
前記バンド部材は、間隔配列の固定柱を備え、定位ボルトの締め付けで、ローラーを固定柱に固定されとなることを特徴とする請求項１に記載の按摩器。
【請求項５】
前記本体の内縁とバンド部材の間に、対称配列の２つのガス嚢を設け、該ガス嚢が各々１つのポンプと連結しており、２つのガス嚢を、違った満たす具合を変化させるより、ローラー７の身体に対する押圧力が調整できることを特徴とする請求項１に記載の按摩器。
【請求項６】
前記２つのガス嚢とポンプの間に、ガス弁が備え、該ガス弁の開閉間隔時間より、違ったガス満たす状態となり按摩効果を高めることを特徴とする請求項５に記載の按摩器。
【請求項７】
前記本体の中に１つの回路板を設けており、制御回路を備え、モーターと、ガス弁を別々と連接し、さらに、本体の表面に突設の複数の設定ボタンを設け、設定ボタンで、モーターの回転速度と動作時間と、ガス嚢のガス満たす具合を制御することを特徴とする請求項１に記載の按摩器。
【請求項８】
前記本体の両端に巻き付けバンドを設けており、該巻き付けバンドの端部に、バンド結合部を具備することを特徴とする請求項１に記載の按摩器。
【請求項９】
前記本体の内縁とバンド部材の間にを定位枠を設けており、前記定位枠に、ガイド部材を備え、ガイド部材の結合側に、対称的な２つのガイド・レールを設け、バンド板はガイド・レールと貼り付けることを特徴とする請求項１に記載の按摩器。
【考案の詳細な説明】
【技術分野】
【０００１】
この考案は按摩器に関し、特に巻き付けバンドで、本体を身体のいろいろなところに巻き付けられ、ローラの往復行きと回転で、身体にもみもみ押圧する按摩器に関する。
【背景技術】
【０００２】
従来の按摩器は、一定な位置で、身体に押圧とか、もみもみするとかで、自動按摩するものである。
【考案の開示】
【考案が解決しようとする課題】
【０００３】
前記従来の按摩器では、下記の欠点があります。
１．従来の按摩器では、構造簡単で、もみもみしても、殆ど同じ部位に按摩して、使用者に対して、効果はあまり満足できない。
２．従来の按摩器では、身体に押圧力の調整が幾段にしても、使用者に満足に合わせられない。
３．従来の按摩器では、身体の違ったところに取り付くに不便があり、機能に不足がある。
この考案は、以上の欠陥を改善し、特にローラの往復行きと回転できって、身体に押圧力調整の効果の良い按摩器を提供することを課題とする。
【課題を解決するための手段】
【０００４】
そこで、本考案者は従来の技術に見られる欠点に鑑み鋭意研究を重ねた結果、本考案を完成させた。この考案による按摩器は、１つの縛りつけられる本体と；１つの本体中の駆動部材と；複数の本体中に対称配列のローラーで、構成されて；前記駆動部材は、中央部から両側まで、弧形延設シャトル形ガイド・レールを設け、駆動部材がモーターの駆動で、一定方向の回転で稼動させ；前記ローラーは、各々２つのバンド部材に定位され、バンド部材は端部のガイド・ロッドより、シャトル形ガイド・レール２１に嵌め置き；巻き付けバンドより本体を、違った身体の部位に縛りつけ；前記駆動部材の回転より、バンド部材端部のガイド・ロッドが、シャトル形ガイド・レールの引導で、左右往復行き摺動されば連動して、ローラーが左右往復行きと回転で、身体にもみもみすることで、構成される。
【考案の効果】
【０００５】
この考案の按摩器によれば、下記の効果があります：
１．ローラーが左右往復行きと回転で、身体にもみもみすることができるので、より広い範囲に平均的な按摩ができるとなる。
２．ガス嚢のガス満たす具合の調整より、ローラーの身体に対しての押圧力の調整が繊細てきになる。
３．巻き付けバンドより本体を身体の違った部位に巻き付くことが、簡易となり、使用に便利となる。
【実施例】
【０００６】
図１，２，３に，この考案の実施例による按摩器構造を示した立体斜視図と、分解斜視図と、断面図を開示する。図面によれば、この考案の按摩器の構成は、１つの本体１、該本体１の両側は弧形で、両端に巻き付けバンド１１を設け、該巻き付けバンド１１の端部に、バンド結合部１１１を有し、本体１の内に、駆動部材２を備え、該駆動部材２は、柱形のカムであって、中央から両端までシャトル形ガイド・レール２１を設け、駆動部材２の両端にロッド２２，２３を設け、本体１の固定柱１３に定位され、ロッド２３にギア２４を有し、ギア２４はモーター２５に設けたウォーム駆動２５１と噛み合って；
２つのガス嚢３、本体１の両側に設け、各々にガス弁３１と連接し、ガス弁３１はポンプ３２と連結しており；
１つの回路板４、制御回路を備え、モーター２５と、ガス弁３１を別々と連接し、さらに、本体１の表面に突設の設定ボタン４１を設け、設定ボタン４１で、モーター２５の回転速度と動作時間と、ポンプ３２のガス満たす具合を制御し；
２つの緩衝体５、柔軟な材質であって、ガス嚢３と定位枠６の中に、貼り付けて、定位枠６に開口６１を設けており；
複数のローラー７、左右対称配列で、バンド部材８に取り付け、バンド部材８に間隔配列の固定柱８１を備え、定位ボルト８２の締め付けで、ローラー７を固定柱８１に固定し、バンド部材８の端部にガイド・ロッド８３を設け、ガイド・ロッド８３は定位枠６の開口６１を穿過して、駆動部材２のシャトル形ガイド・レール２１に嵌め置き；
１つのバンド板９、柔軟な材質であって、前述の部材を包覆して、本体１に固定しており；
前記定位枠６に、ガイド部材６２を備え、ガイド部材６２の結合側に、対称的な２つのガイド・レール６２１を設け、バンド板９はガイド・レール６２１と貼り付けて、バンド板９はガイド・レール６２１の引導で、左右往復行きと摺動し；
前述部材の組み合わせで、もみもみ式な按摩器を構成され、巻き付けバンド１１で、本体１を身体のいろいろなところに巻き付けられ、設定ボタン４１より、回転速度と動作時間と、ガス満たす具合を制御し、モーター２５が駆動部材２を連動し、バンド部材８上のガイド・ロッド８３を、シャトル形ガイド・レール２１の引導より、左右往復行きと摺動し、さらに、バンド部材８上のローラー７の回転を作動し、左右往復行きと回転するで、按摩の効果を発揮する。
前述２つのガス嚢３は、本体１の内側と緩衝体５の中に設け、ガス弁３１と連接し、ガス弁３１はポンプ３２と連結しており、使用中に、回路板４でガス弁３１の開閉時間の制御より、２つのガス嚢３を、違った満たす具合を変化させるより、ローラー７への押圧或いは緩みを作用し、ローラー７の身体に対する押圧力が調整できる。
図４，５Ａ，５Ｂに，この考案の実施例による按摩器作動を示した断面図を開示する。図面によれば、この考案の作動は、巻き付けバンド１１で、本体１を身体のいろいろなところに巻き付けられ（例えば腰，腿，尻）、さらに、設定ボタン４１より、回転速度と動作時間とガス満たす具合を設定し、設定ボタン４１の起動で、モーター２５稼動させれば連動して、駆動部材２を一定方向に回転させ、駆動部材２が回転すると同時に、バンド部材８上のガイド・ロッド８３が、シャトル形ガイド・レール２１の引導より、左右往復行きと摺動し、かつガイド部材６２の定位引導作用で、バンド部材８が左右往復行きと摺動させれば連動して、バンド部材８上のローラー７を左右往復行きとで回転して、ローラー７が、身体へ引き続く押圧させ、身体に按摩させる。操作中に、回路板４の作用で、ガス弁３１の開け閉め時間を制御し、ガス嚢３のガス満たす具合を調整させ、ローラー７に対して押圧或いは緩め、左右ガス嚢３が違ったガス満たす具合より、按摩の効果を上げる。
図４，６Ａ，６Ｂ，６Ｃに，この考案の実施例による按摩器の駆動部材２の作動を示した断面図を開示する。図面によれば、この考案の駆動部材２の作動は、設定ボタン４１の起動で、モーター２５稼動させれば、ウォーム駆動２５１とギア２４の連動で、駆動部材２を一定方向に回転させ、駆動部材２が回転すると同時に、バンド部材８上のガイド・ロッド８３が、シャトル形ガイド・レール２１の引導より、左右往復行きと摺動し、ガイド・ロッド８３はシャトル形ガイド・レール２１の内縁に達すときに、バンド部材８を本体１の中央方に近寄れば連動して、ローラー７を中央に近寄る（図６Ａ，６Ｂに参照）。ガイド・ロッド８３はシャトル形ガイド・レール２１の外縁に達すときに、バンド部材８を本体１の外側に近寄れば連動して、ローラー７を外側に近寄る（図６Ｃ，６Ｄに参照）。さらに、駆動部材２が一輪回転終わったら、ガイド・ロッド８３はシャトル形ガイド・レール２１の内縁に戻すときに、バンド部材８を本体１の中央方に戻して近寄れば連動して、ローラー７を中央に近寄る（図６Ｅに参照）、このように、循環作動で、ローラー７が、身体へ引き続く押圧させ、身体に按摩させる。
【図面の簡単な説明】
【０００７】
【図１】この考案の立体斜視図である。
【図２】この考案の分解斜視図である。
【図３】この考案の断面図である。
【図４】この考案の使用説明断面図である。
【図５Ａ】この考案の動作説明断面図である。
【図５Ｂ】この考案の動作説明断面図である。
【図６Ａ】この考案の駆動部材の動作説明斜視図である。
【図６Ｂ】この考案の駆動部材の動作説明斜視図である。
【図６Ｃ】この考案の駆動部材の動作説明斜視図である。
【図６Ｄ】この考案の駆動部材の動作説明斜視図である。
【図６Ｅ】この考案の駆動部材の動作説明斜視図である。
【符号の説明】
【０００８】
１         本体
１１       巻き付けバンド
１１１     バンド結合部
１３       固定柱
２         駆動部材
２１       シャトル形ガイド・レール
２２       ロッド
２３       ロッド
２４       ギア
２５       モーター
２５１     ウォーム駆動
３         ガス嚢
３１       ガス弁
３２       ポンプ
４         回路板
４１       設定ボタン
５         緩衝体
６         定位枠
６１       開口
６２       ガイド部材
６２１     ガイド・レール
７         ローラー
８         バンド部材
８１       固定柱
８２       定位ボルト
８３       ガイド・ロッド
９         バンド板
【図１】
0003155674.tif 000003
【図２】
0003155674.tif 000004
【図３】
0003155674.tif 000005
【図４】
0003155674.tif 000006
【図５Ａ】
0003155674.tif 000007
【図５Ｂ】
0003155674.tif 000008
【図６Ａ】
0003155674.tif 000009
【図６Ｂ】
0003155674.tif 000010
【図６Ｃ】
0003155674.tif 000011
【図６Ｄ】
0003155674.tif 000012
【図６Ｅ】
0003155674.tif 000013